(57)【要約】【課題】携帯端末のカバーを取り付ける際の位置決めを容易にする。【解決手段】筐体３に電池カバー１０が装着される電池カバー挿入口３ａを設け、電池カバー１０に電池カバー挿入口３ａ周縁の膨出部３ｂに係合するアンテナ用コネクタ１３と、アンテナ用コネクタ１３と膨出部３ｂとの係合の後に、電池カバー挿入口３ａ周縁のパッキン当接面３ｃに係合する防水パッキン１５を設ける。アンテナ用コネクタ１３と膨出部３ｂとの係合は、パッキン当接面３ｃと防水パッキン１５との係合はよりも緩い係合とする。【選択図】図１
2014207603.tif 000002
【特許請求の範囲】
【請求項１】
着脱可能なカバーを有する携帯端末において、
上記カバーが挿入されるカバー挿入口を有する筐体と、
上記カバーに設けられ、上記カバー挿入口内部の第１被係合部に係合する第１係合部と、
上記カバーに設けられ、上記第１係合部と上記第１被係合部との係合の後に、上記カバー挿入口内部の第２被係合部に係合する第２係合部とを有し、
上記第１係合部と上記第１被係合部との係合は、上記第２係合部と上記第２被係合部との係合はよりも緩い係合となっている
ことを特徴とする携帯端末。
【請求項２】
請求項１に記載の携帯端末において、
上記第１係合部は、上記カバーから延びる第１突起部であり、
上記第１被係合部は、上記カバー挿入口周縁に設けた膨出部又は凹部であり、
上記第２係合部は、上記カバーに装着された防水パッキンであり、
上記第２被係合部は、上記筐体に形成されたパッキン当接面である
ことを特徴とする携帯端末。
【請求項３】
請求項１又は２に記載の携帯端末において、
上記カバーに設けられ、上記第１係合部と上記第１被係合部との係合と、上記第２被係合部と第２係合部との係合との間に、上記カバー挿入口内部の第３被係合部に係合する第３係合部をさらに有し、
上記第３係合部と上記第３被係合部との係合は、上記第１係合部と上記第１被係合部との係合よりもきつい係合であり、上記第２係合部と上記第２被係合部との係合よりも緩い係合となっている
ことを特徴とする携帯端末。
【請求項４】
請求項２に記載の携帯端末において、
上記第１係合部は、上記カバーに設けられた一対のコネクタであり、
上記第１被係合部は、上記カバー挿入口周縁から突出し、上記一対のコネクタの両側端部外周よりも若干大きい間隔を空けて配置される一対の膨出部である
ことを特徴とする携帯端末。
【請求項５】
請求項３に記載の携帯端末において、
上記第１係合部は、上記カバーに設けられた第１コネクタであり、
上記第１被係合部は、上記カバー挿入口周縁から突出し、上記一対のコネクタの両側端部外周よりも若干大きい間隔を空けて配置される一対の膨出部であり、
上記第３係合部は、上記カバーに設けられた第２コネクタであり、
上記第３被係合部は、上記第２コネクタを接続する接続端子の開口部である
ことを特徴とする携帯端末。
【発明の詳細な説明】
【技術分野】
【０００１】
本発明は、着脱可能なカバーを有する携帯端末に関するものである。
【背景技術】
【０００２】
従来より、例えば、特許文献１に示す電気カミソリのように、プラグ基板を有する底蓋を外ケースに嵌め込んで内部の電池を通電可能に収容するものが知られている。
【先行技術文献】
【特許文献】
【０００３】
【特許文献１】特開２００２−１０２５５３号公報
【発明の概要】
【発明が解決しようとする課題】
【０００４】
しかしながら、上記特許文献1のものでは、底蓋の正確な位置決めを一度で行わなければならず、位置決めが不十分だとうまく取り付けることができないという問題があった。
【０００５】
本発明は、かかる点に鑑みてなされたものであり、その目的とするところは、カバーを取り付ける際の位置決めを容易にすることにある。
【課題を解決するための手段】
【０００６】
上記の目的を達成するために、この発明では、緩い係合からきつい結合に複数段階で位置決めを行うようにした。
【０００７】
具体的には、第１の発明では、着脱可能なカバーを有する携帯端末を前提とし、
上記携帯端末は、
上記カバーが挿入されるカバー挿入口を有する筐体と、
上記カバーに設けられ、上記カバー挿入口内部の第１被係合部に係合する第１係合部と、
上記カバーに設けられ、上記第１係合部と上記第１被係合部との係合の後に、上記カバー挿入口内部の第２被係合部に係合する第２係合部とを有し、
上記第１係合部と上記第１被係合部との係合は、上記第２係合部と上記第２被係合部との係合よりも緩い係合となっている。
【０００８】
上記の構成によると、カバーを筐体のカバー挿入口に挿入するときに、まず１段階目の係合として第１係合部を緩く第１被係合部に係合するので、挿入時の位置決めが極めて容易であり、次いで、２段階目の第２係合部と第２被係合部との係合は、１段階目よりもよりきついため、カバーは定位置に正確に位置決めされる。
【発明の効果】
【０００９】
以上説明したように、本発明によれば、カバーと筐体のカバー挿入口との係合を、第１係合部と第１被係合部との係合と、それよりもきつい第２係合部と第２被係合部との係合との複数段階で行うようにしたことにより、カバーを取り付ける際の位置決めを容易にすることができる。
【図面の簡単な説明】
【００１０】
【図１】図３のＩ−Ｉ線拡大断面図である。
【図２】本発明の実施形態に係る携帯電話機を背面側から見た分解図である。
【図３】第１段目の係合を行うときの図２のIII−III線断面図である。
【図４】筐体のカバー挿入口及びその周辺を示す拡大斜視図である。
【図５】電池カバーを示す拡大斜視図である。
【図６】電池カバーを別の方向から示す拡大斜視図である。
【図７】第２段目の係合を行うときの図３相当図である。
【図８】第３段目の係合を行うときの図３相当図である。
【図９】図８のIX−IX線断面図である。
【図１０】本発明の実施形態に係る携帯電話機を背面側から見た分解図である。
【発明を実施するための形態】
【００１１】
以下、本発明の実施形態を図面に基づいて説明する。
【００１２】
図２は、本発明の実施形態に係る携帯電話機１を背面側から見た分解図であり、図３は、第１段目の係合を行うときの図２のIII−III線拡大断面図であり、図１は、図３のＩ−Ｉ線拡大断面図である。この携帯電話機１は、その下端に着脱可能な電池カバー１０を有する、例えばスマートフォンよりなる。携帯電話機１は、正面側に液晶表示部２が貼り付けられる樹脂成形品よりなる筐体３を備えている。筐体３の背面側は、装飾部材であるリアカバー４で覆われている。液晶表示部２の背面に充電池５が内蔵され、その背面にメイン基板６が設けられている。このため、この充電池５は、リアカバー４を外しただけではメイン基板６が邪魔をして取り出すことができない。
【００１３】
図４は、筐体３のカバー挿入口及びその周辺を示す拡大斜視図であり、図５及び図６は、電池カバー１０を示す拡大斜視図である。図１０は、本発明の実施形態に係る携帯電話機１を背面側から見た分解図である。筐体３の下端には、電池カバー１０を出し入れするための電池カバー挿入口３ａが形成されている。電池カバー１０は、樹脂成形品よりなるカバー本体１１と、このカバー本体１１を覆う装飾カバー１２とを備えている。カバー本体１１の外周には、図示しない一対のアンテナ素子が印刷され、これら一対のアンテナ素子のそれぞれから延びたアンテナ素子が、左右一対の第１係合部（第１コネクタ）としてのアンテナ用コネクタ１３に設けた金属端子１３ａに接続されている。左右一対のアンテナ用コネクタ１３の中央には、第３係合部（第２コネクタ）としてのＵＳＢ用コネクタ１４が設けられている。そして、電池カバー挿入口３ａの周縁には、第１被係合部としての左右一対の膨出部３ｂが設けられている。この一対の膨出部３ｂの奥側におけるメイン基板６には、一対のアンテナ用コネクタ１３にそれぞれ接続されるアンテナ接続端子６ａが設けられている。このアンテナ接続端子６ａの左右中央には、ＵＳＢ用コネクタ１４が接続される、第３被係合部としてのＵＳＢ端子６ｂが設けられている。一対の膨出部３ｂの左右の内面の間隔は、一対のアンテナ用コネクタ１３の左右外面の間隔よりも若干広くなっている。膨出部３ｂとアンテナ用コネクタ１３とが最初に当接する部分は、両者の少なくとも一方が傾斜面を有しているのが望ましい。
【００１４】
電池カバー１０の上面には、第２係合部としての防水パッキン１５が装着されている。防水パッキン１５は、樹脂成形品よりなるパッキン本体１５ａと、このパッキン本体１５ａの外周を覆うシリコンゴム１５ｂとを備えている。電池カバー挿入口３ａ周縁の膨出部３ｂの手前には、特に防水パッキン１５のシリコンゴム１５ｂが当接する、第２被係合部としての枠状のパッキン当接面３ｃが形成されている。防水性を確保するために、シリコンゴム１５ｂとパッキン当接面３ｃとは、密閉状に係合しているのが望ましい。つまり、１段階目の膨出部３ｂとアンテナ用コネクタ１３との係合よりもシリコンゴム１５ｂとパッキン当接面３ｃとの係合は、よりきつく正確に位置決めされたものとなっている。
【００１５】
しかもこれら２段階の位置決めだけでなく、これらの位置決めの間にＵＳＢ端子６ｂとＵＳＢ用コネクタ１４との係合による位置決めが行われると有利である。
【００１６】
次に、本実施形態に係る携帯電話機１の作動について説明する。図７は、第２段目の係合を行うときの図３相当図であり、図８は、第３段目の係合を行うときの図３相当図であり、図９は、図８のIX−IX線断面図である。図１０は、本発明の実施形態に係る携帯電話機１を背面側から見た分解図である。
【００１７】
まず、図１０に示すように、充電池５の修理又は交換後に充電池５を電池カバー挿入口３ａから挿入して装着する。
【００１８】
次いで、図２に示すように、電池カバー１０を筐体３の電池カバー挿入口３ａに挿入する。
【００１９】
まず１段階目の係合として、図１、図３及び図４に示すように、電池カバー挿入口３ａの正面側及び背面側内面に当接させて厚さ方向の位置決めをすると共に、一対のアンテナ用コネクタ１３の左右外側端面を緩く一対の膨出部３ｂの左右内側端面に接触させて左右方向の位置決めをしながら挿入する。このとき、両者の左右間隔には余裕が生じるように設定されているので、挿入時の位置決めが極めて容易である。
【００２０】
次いで、一対のアンテナ用コネクタ１３よりも先端が飛び出しているＵＳＢ用コネクタ１４の先端がＵＳＢ端子６ｂの開口に近づいた後、さらに差し込むと、図７に示すように、ＵＳＢ用コネクタ１４の先端がＵＳＢ端子６ｂに差し込まれることでさらなる係合が行われる。この係合は、１段階目の係合よりも特に左右方向にきつく位置決めされる。
【００２１】
次いで、さらに押し込むと、図８及び図９に示すように、ＵＳＢ用コネクタ１４の先端がＵＳＢ端子６ｂに完全に接続されると共に、一対のアンテナ用コネクタ１３がアンテナ接続端子６ａに接続される。そして、このとき、防水パッキン１５のシリコンゴム１５ｂがパッキン当接面３ｃに当接して変形されながら密着することで、電池カバー１０が正確且つ確実に位置決めされる。防水パッキン１５の係合は、一対のアンテナ用コネクタ１３やＵＳＢ用コネクタ１４の係合よりもきついため、電池カバー１０は定位置に正確に位置決めされる。
【００２２】
その後、図１０に示した固定ビス１６を電池カバー１０のビス挿通孔１１ａに挿通して筐体３のネジ穴３ｄに締結して電池カバー１０を固定する。このとき、電池カバー１０が正確に固定されているので、固定ビス１６の締め付けが極めて容易である。
【００２３】
このように３段階で電池カバー１０の位置決めが行われるので、１段階から３段階目まで徐々に係合をきつくすればよくなり、特に１段階目の係合を緩くしても最終的には防水パッキン１５正確且つ確実に位置決めされる。
【００２４】
また、これら３段階の位置決めを、他の用途で必要なアンテナ用コネクタ１３、ＵＳＢ用コネクタ１４及び防水パッキン１５で行ったので、別途位置決め専用の部材を設ける必要がない。
【００２５】
したがって、本実施形態に係る携帯電話機１によると、簡単な構成で電池カバー１０を取り付ける際の位置決めを容易にすることができる。
【００２６】
（その他の実施形態）
本発明は、上記実施形態について、以下のような構成としてもよい。
【００２７】
すなわち、上記実施形態では、１段階目の係合と最終的な２段階目の係合との間にＵＳＢ用コネクタ１４による中間の係合をするようにしたが、この中間の係合がなく、１段階目と２段階目の係合だけでもよい。
【００２８】
上記実施形態では、第１被係合部を膨出部３ｂとしたが、第１係合部が隙間を保って緩くはまり込むような凹部としてもよい。
【００２９】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３０】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３１】
１      携帯電話機（携帯端末）
２      液晶表示部
３      筐体
３ａ    電池カバー挿入口
３ｂ    膨出部（第１被係合部）
３ｃ    パッキン当接面３ｃ（第２被係合部）
３ｄ    ネジ穴
４      リアカバー
５      充電池
６      メイン基板
６ａ    アンテナ接続端子
６ｂ    ＵＳＢ端子（第３被係合部）
１０      電池カバー
１１      カバー本体
１１ａ    ビス挿通孔 
１２      装飾カバー
１３      アンテナ用コネクタ（第１突起部、第１コネクタ）
１３ａ    金属端子
１４      ＵＳＢ用コネクタ（第３突起部、第２コネクタ）
１５      防水パッキン１５（第２突起部）
１５ａ    パッキン本体
１５ｂ    シリコンゴム
１６      固定ビス
【図１】
2014207603.tif 000003
【図２】
2014207603.tif 000004
【図３】
2014207603.tif 000005
【図４】
2014207603.tif 000006
【図５】
2014207603.tif 000007
【図６】
2014207603.tif 000008
【図７】
2014207603.tif 000009
【図８】
2014207603.tif 000010
【図９】
2014207603.tif 000011
【図１０】
2014207603.tif 000012